(57)【特許請求の範囲】
【請求項１】
光を発する複数のＬＥＤと前記複数のＬＥＤが実装された基板とを有するＬＥＤモジュールと、長手方向に湾曲した長手状の導光体であって、前記導光体の長手方向の端面であり前記ＬＥＤからの光を入射する入射面と、前記導光体の長手方向に延在する面であり前記入射面から入射した光を出射する出射面とを有する導光体とを備える照明用光源と、
前記照明用光源の複数のＬＥＤを調光する電源装置とを具備し、
前記照明用光源の複数のＬＥＤは、前記基板上で、前記導光体の湾曲方向の外側から内側に向かって配列され、前記導光体の湾曲方向の外側から内側に向かって光束が少なくなるように前記電源装置により調光されることを特徴とする照明装置。
【請求項２】
前記照明用光源の導光体は、平面視で略円弧状に湾曲し、
前記照明用光源は、１つで、又は、複数が組み合わされて、平面視で略円形状のランプを構成し、
前記照明装置は、さらに、
前記電源装置が収容される本体と、
前記本体から下方に延び、前記ランプを着脱自在に固定するホルダーとを具備し、
天井面に設置されることを特徴とする請求項１に記載の照明装置。
【発明の詳細な説明】
【技術分野】
【０００１】
本発明は、照明用光源及び照明装置及びＬＥＤモジュールに関するものである。
【背景技術】
【０００２】
従来のＬＥＤ（発光ダイオード）を用いた第１の照明用光源として、環状の基板上に配列したＬＥＤを、環状に形成したカバー部材で覆ったものがある（例えば、特許文献１参照）。このような照明用光源では、ＬＥＤとカバー部材との間に拡散板等を配置することで眩しさを抑制している。
【０００３】
また、従来のＬＥＤを用いた第２の照明用光源として、一方向に細長く延びる導光体又は四角形状の平板である導光体の端面にＬＥＤを配置し、導光体の出射面から光を出射するものがある（例えば、特許文献１及び２参照）。このような照明用光源では、直線状又は四角形状の照明が得られ、直管蛍光ランプの置き換えが可能となるため、光源の長寿命化、省エネが図れる。
【先行技術文献】
【特許文献】
【０００４】
【特許文献１】特開２０１０−３６８３号公報
【特許文献２】特開２０００−１１３７０９号公報
【特許文献３】特開平１１−６６９３０号公報
【特許文献４】特開平１１−３１７１０６号公報
【特許文献５】特開２００９−２５８０１７号公報
【特許文献６】特開２００７−３２９０８９号公報
【発明の概要】
【発明が解決しようとする課題】
【０００５】
従来の第１の照明用光源では、ＬＥＤを配列する基板を環状に形成したり、ＬＥＤを環状に配置したりする必要があるため、製造しづらく、また製造できても高コストになるという課題があった。
【０００６】
従来の第２の照明用光源では、環状や曲線状の照明を得ることができないという課題があった。また、そのため、丸管蛍光ランプの置き換えができないという課題があった。
【０００７】
本発明は、例えば、ＬＥＤを用いた照明用光源として、環状や曲線状の照明を得られ、かつ、製造しやすいものを提供することを目的とする。
【課題を解決するための手段】
【０００８】
本発明の一の態様に係る照明装置は、
光を発する複数のＬＥＤと前記複数のＬＥＤが実装された基板とを有するＬＥＤモジュールと、長手方向に湾曲した長手状の導光体であって、前記導光体の長手方向の端面であり前記ＬＥＤからの光を入射する入射面と、前記導光体の長手方向に延在する面であり前記入射面から入射した光を出射する出射面とを有する導光体とを備える照明用光源と、
前記照明用光源の複数のＬＥＤを調光する電源装置とを具備し、
前記照明用光源の複数のＬＥＤは、前記基板上で、前記導光体の湾曲方向の外側から内側に向かって配列され、前記導光体の湾曲方向の外側から内側に向かって光束が少なくなるように前記電源装置により調光される。
【発明の効果】
【０００９】
本発明の一の態様では、ＬＥＤを用いた照明用光源が、長手方向に湾曲した長手状の導光体を備えており、この導光体は、導光体の長手方向の端面でありＬＥＤからの光を入射する入射面と、導光体の長手方向に延在する面であり入射面から入射した光を出射する出射面とを有している。そのため、本発明の一の態様によれば、ＬＥＤを用いた照明用光源として、環状や曲線状の照明を得られ、かつ、製造しやすいものを提供することが可能となる。
【図面の簡単な説明】
【００１０】
【図１】（ａ）実施の形態１に係る照明装置の斜視図、（ｂ）実施の形態１の変形例に係る照明装置の斜視図、（ｃ）実施の形態１の変形例に係る照明装置の斜視図、（ｄ）実施の形態１の変形例に係る照明装置の斜視図である。
【図２】実施の形態１に係る照明装置の部分断面側面図である。
【図３】実施の形態１に係るＬＥＤ電源の構成を示すブロック図である。
【図４】（ａ）実施の形態１に係る照明用光源の斜視図、（ｂ）実施の形態１に係る照明用光源の斜視図である。
【図５】（ａ）実施の形態１に係る照明用光源の側面図、（ｂ）実施の形態１の変形例に係る照明用光源の側面図である。
【図６】（ａ）実施の形態１に係る照明用光源の底面図、そのＡ−Ａ断面図及びＢ−Ｂ断面図、（ｂ）実施の形態１の変形例に係る照明用光源の底面図、そのＡ−Ａ断面図及びＢ−Ｂ断面図、（ｃ）実施の形態１の変形例に係る照明用光源のＡ−Ａ断面図、（ｄ）実施の形態１の変形例に係る照明用光源のＡ−Ａ断面図である。
【図７】（ａ）実施の形態１の変形例に係る照明用光源の斜視図及び断面図、（ｂ）実施の形態１の変形例に係る照明用光源の斜視図である。
【図８】（ａ）実施の形態２に係る照明用光源の底面図及びそのＡ−Ａ断面図、（ｂ）実施の形態２の変形例に係る照明用光源の底面図及びそのＡ−Ａ断面図、（ｃ）実施の形態２の変形例に係る照明用光源のＡ−Ａ断面図、（ｄ）実施の形態２の変形例に係る照明用光源のＡ−Ａ断面図である。
【図９】（ａ）実施の形態３に係る照明用光源の底面図、そのＡ−Ａ断面図及びＢ−Ｂ断面図、（ｂ）実施の形態３の変形例に係る照明用光源の底面図、そのＡ−Ａ断面図及びＢ−Ｂ断面図である。
【図１０】（ａ）実施の形態４に係る照明用光源の底面図、そのＡ−Ａ断面図及びＢ−Ｂ断面図、（ｂ）実施の形態４の変形例に係る照明用光源の底面図、そのＡ−Ａ断面図及びＢ−Ｂ断面図である。
【図１１】（ａ）実施の形態５に係る照明装置の斜視図、（ｂ）実施の形態５の変形例に係る照明装置の斜視図、（ｃ）実施の形態５の変形例に係る照明装置の斜視図、（ｄ）実施の形態５の変形例に係る照明装置の斜視図である。
【図１２】（ａ）実施の形態５に係る照明用光源の斜視図、（ｂ）実施の形態５の変形例に係る照明用光源の斜視図である。
【図１３】（ａ）実施の形態５に係る照明用光源の底面図、そのＡ−Ａ断面図及びＢ−Ｂ断面図、（ｂ）実施の形態６に係る照明用光源の底面図及びそのＡ−Ａ断面図である。
【図１４】（ａ）実施の形態５の変形例に係る照明用光源の斜視図、（ｂ）実施の形態５の変形例に係る照明用光源の斜視図である。
【図１５】（ａ）実施の形態７に係る照明用光源の底面図、そのＡ−Ａ断面図及びＢ−Ｂ断面図、（ｂ）実施の形態８に係る照明用光源の底面図、そのＡ−Ａ断面図及びＢ−Ｂ断面図である。
【発明を実施するための形態】
【００１１】
以下、本発明の実施の形態について、図を用いて説明する。
【００１２】
実施の形態１．
図１（ａ）は、本実施の形態に係る照明装置１０の斜視図である。図２は、照明装置１０の部分断面側面図である。
【００１３】
照明装置１０は、ＬＥＤモジュール２０と導光体３０とを備えた照明用光源１１を少なくとも１つ具備する。なお、図２では、照明装置１０が複数（具体的には、２つ）の照明用光源１１を具備する例を示しているが、図１（ａ）では、簡単のため、照明用光源１１を１つのみ示している。照明用光源１１の詳細な構成については後述する。
【００１４】
照明装置１０は、照明用光源１１に加えて、本体１２、ホルダー１３、ＬＥＤ電源１４（電源装置）、配線１５、引き紐１６、反射カバー１７（セード）、固定具１８を具備する。
【００１５】
照明用光源１１は着脱自在であり、照明装置１０に取り付けられる場合には、本体１２から下方に延びるホルダー１３によって固定される。ＬＥＤ電源１４も着脱自在であり、照明装置１０に取り付けられる場合には、本体１２内部に収容される。照明用光源１１のＬＥＤモジュール２０とＬＥＤ電源１４とは配線１５で接続される。ＬＥＤ電源１４は、配線１５を介してＬＥＤモジュール２０に電力を供給する。また、ＬＥＤ電源１４は、引き紐１６が引っ張られたとき、あるいは、不図示のボリュームダイヤルやスイッチやリモコン（ワイヤレス）等から所定の信号が送信されたときに、配線１５を介してＬＥＤモジュール２０に点灯制御信号や調光制御信号等の各種信号を伝送する。ＬＥＤモジュール２０が点灯すると、ＬＥＤモジュール２０から発せられた光が照明用光源１１の導光体３０によって拡散され、周囲に放射される。このとき、上方や側方に放射された光は反射カバー１７によって下方に反射されるため、器具効率が高まる。照明装置１０は、例えば天井面に設置され、固定具１８によって固定される。
【００１６】
照明装置１０を構成する部品のうち、照明用光源１１及びＬＥＤ電源１４以外については、例えば従来の丸管蛍光ランプ用の部品を用いることができる。したがって、従来の丸管蛍光ランプを用いた照明器具に、本実施の形態に係る照明用光源１１及びＬＥＤ電源１４を取り付けることで、光源の長寿命化、省エネが図れる。例えば、照明用光源１１の導光体３０の外径（平面視での縦幅及び横幅）を２０５ｍｍ（ミリメートル）程度、断面の縦幅及び横幅を２９ｍｍ程度とすれば、照明用光源１１により従来の２０形の丸管蛍光ランプを置き換え可能である。同様に、導光体３０の外径を２２５ｍｍ程度、断面の縦幅及び横幅を２９ｍｍ程度とすれば、従来の３０形の丸管蛍光ランプを置き換え可能である。
【００１７】
図３は、ＬＥＤ電源１４の構成を示すブロック図である。
【００１８】
ＬＥＤ電源１４は、固定具１８の内部を通る電線により商用電源４０と接続される。また、前述したように、ＬＥＤ電源１４は、配線１５により照明用光源１１のＬＥＤモジュール２０と接続される。
【００１９】
ＬＥＤ電源１４は、交流−直流変換回路４１、調光部４２、制御部４３を備える。
【００２０】
交流−直流変換回路４１は、商用電源４０から入力される交流電流を直流電流に変換して調光部４２に入力することにより、調光部４２に光源電力を供給する。調光部４２は、ＬＥＤモジュール２０を点灯／消灯させる機能を有している。また、調光部４２は、ＬＥＤモジュール２０に対し、順電流制御（電流値を調整することにより光源の明るさを調節する制御）やデューティ制御（光源を高速で点滅させ、その点灯時間の割合を調整することにより光源の明るさを調節する制御）等により発光強度を変化させる機能を有している。制御部４３は、ＬＥＤモジュール２０を（複数ある場合にはＬＥＤモジュール２０ごとに）所望の発光強度にするための入力を外部から受け付ける機能を有している。また、制御部４３は、その入力に従った信号を調光部４２に与える機能を有している。入力手段としては、前述したように、引き紐１６、あるいは、ボリュームダイヤルやスイッチやリモコン等を用いることができる。
【００２１】
図４（ａ）及び（ｂ）は、照明用光源１１の斜視図である。図４（ａ）及び（ｂ）は、それぞれ照明用光源１１を別の角度から見た状態を示している。図５（ａ）は、照明用光源１１の側面図である。
【００２２】
照明用光源１１は、ＬＥＤ２１が少なくとも１つ基板上に実装されたＬＥＤモジュール２０と、板状に形成され、長手方向に湾曲した長手状の導光体３０（導光板）とを備える。図示していないが、ＬＥＤモジュール２０と導光体３０とは、例えばカバーによって連結されており、このカバーにはＬＥＤモジュール２０からの光の漏れを防止する効果もある。図４（ａ）及び（ｂ）では、ＬＥＤモジュール２０の基板上に４つのＬＥＤ２１が直線状に配置された例を示しているが、ＬＥＤ２１の数や配置はこれに限るものではない。例えば、３つ以下あるいは５つ以上のＬＥＤ２１が直線状に配置されてもよいし、複数のＬＥＤ２１がリング状、放射状、複数列の直線状、あるいは、ランダムに配置されてもよい。また、図４（ａ）及び（ｂ）、図５（ａ）では、導光体３０の一部しか示していないが、図１（ａ）に示したように、導光体３０は、全体が略円弧状に湾曲しており、ＬＥＤモジュール２０を含めた照明用光源１１全体が平面視で略円形状になるように形成されている。即ち、導光体３０が略円形となっている。なお、図１（ｂ）に示すように、導光体３０は、照明用光源１１全体が平面視で略半円形状になるように形成されてもよい。即ち、導光体３０が略半円形となってもよい。この場合、２つの照明用光源１１の端部同士を連結することで（近接するように位置を固定するだけでもよい）、全体として略円形状のランプとすることができる。また、図１（ｃ）に示すように、導光体３０は、照明用光源１１全体が平面視で略四半円形状になるように形成されてもよい。即ち、導光体３０が略１／４円形となってもよい。この場合、４つの照明用光源１１の端部を順番に連結することで（近接するように位置を固定するだけでもよい）、全体として略円形状のランプとすることができる。また、導光体３０の形状は、全体が略円弧状に湾曲したものに限らず、例えば平面視で略Ｓ字状や略Ｕ字状であってもよい。例えば、透明材料からなる帯状の導光板を帯の長手方向に対して厚さ方向と垂直の方向に任意の曲率をもって曲げ加工することで、本実施の形態における、長手方向に湾曲した長手状の導光体３０を得ることができる。
【００２３】
ＬＥＤ２１は、光を発する発光面２２を有する。導光体３０は、導光体３０の長手方向の端面であり、ＬＥＤ２１の発光面２２から発せられた光を入射する入射面３１と、導光体３０の長手方向に延在する面（例えば、底面及び側面）であり、入射面３１から入射した光を出射する出射面３２（第１の面）とを有する。本実施の形態において、導光体３０は、さらに、導光体３０の長手方向に延在する他の面（例えば、上面）であり、入射面３１から入射した光を拡散させる拡散パターン３３が形成されている拡散面３４（第２の面）を有する。照明用光源１１には、この拡散面３４を覆い、拡散面３４から漏れる光を反射する板状の反射体３５（反射板）が備えられている。本実施の形態において、反射体３５は、導光体３０の長手方向の端面（２つあるうちの一方は入射面３１）と出射面３２とを除く全ての面（即ち、上面全体）を覆っている。このため、入射面３１から入射された光は、略全てが直接あるいは拡散面３４で拡散されて出射面３２から出射される。よって、本実施の形態によれば、器具効率が高く、かつ、全体として明るさが略均一な照明を得ることができる。
【００２４】
図５（ａ）に示すように、本実施の形態において、導光体３０の拡散面３４には、拡散パターン３３として凹凸加工が施されている。なお、図５（ｂ）に示すように、拡散面３４には、拡散パターン３３としてドット印刷が施されていてもよい。この場合、拡散面３４の上には、反射体３５として、アルミニウム等の反射コーティングを施すことが望ましい。これにより、拡散面３４からの光の漏れを防ぐことができる。
【００２５】
導光体３０は、透光性を有するプラスチック材料（透明樹脂）からなるものが望ましいが、ガラス材料からなるものでもよい。プラスチック材料を用いた場合、容易に曲げ加工することが可能となる。プラスチック材料としては、例えば、ポリカーボネート、ポリアリレート、ポリサルフォン、ポリエーテルイミド、ポリフェニレンスルフィド、アクリル、アクリロニトリル、塩化ビニール、ポリスチレン、ポリエチレンのいずれか、あるいは、これらのうち複数を組み合わせたものを用いることができる。また、導光体３０は、このようなプラスチック材料中に、当該プラスチック材料とは異なる屈折率の微粒子を分散させてなるものであってもよい。これにより、導光体３０の入射面３１から入射した光や反射体３５で反射された光を、拡散面３４を含む導光体３０の表面だけでなく、導光体３０の全体で拡散させることができる。微粒子としては、例えば、透明なガラス材料を用いることができる。
【００２６】
図６（ａ）は、照明用光源１１の底面図、そのＡ−Ａ断面図及びＢ−Ｂ断面図である。
【００２７】
図６（ａ）に示す照明用光源１１は、図１（ｂ）に示した例と同様に、全体が略半円形状に形成されているものとする。この照明用光源１１の導光体３０の拡散面３４には、拡散パターン３３（例えば、凹凸加工）が、ＬＥＤモジュール２０に近い側から遠い側に向かって密になるように形成されている。即ち、拡散パターン３３がＬＥＤ２１から離れるにしたがって密となり、ＬＥＤ２１に近づくにしたがって粗となっている。これにより、出射面３２全体においてＬＥＤモジュール２０からの距離によって生じる輝度の差を小さくすることができる。図示していないが、導光体３０を、ＬＥＤモジュール２０に近い側から遠い側に向かって厚みが小さくなるように（即ち、テーパ状に）形成することで、この効果をさらに高めることができる。なお、導光体３０が長手状であれば、同様の構成にすることで、同様の効果を得ることができるため、照明用光源１１は、例えば図１（ａ）又は（ｃ）に示したような形状であってもよいし、他の形状であってもよい。
【００２８】
図６（ａ）に示した照明用光源１１の導光体３０は、底面だけでなく側面も出射面３２となっているが、図６（ｂ）に示すように、導光体３０の底面だけを出射面３２とし、導光体３０の側面を、拡散面３４と同様に反射体３５で覆ってもよい。即ち、導光体３０の外周面及び内周面（側面）の全てに反射体３５を配置してもよい。また、さらに、導光体３０の入射面３１と逆側の端面を反射体３５で覆ってもよい。即ち、導光体３０のＬＥＤ２１が配置されていない端面に反射体３５を配置してもよい。このように、図６（ｂ）に示した照明用光源１１では、反射体３５が、導光体３０の入射面３１と出射面３２とを除く全ての面を覆っている。このため、器具効率がより高く、かつ、全体として明るさが略均一な照明を得ることができる。なお、導光体３０の上面だけでなく側面も、拡散パターン３３が形成された拡散面３４とすることができる。また、導光体３０の断面形状は四角形状に限らず、例えば、図６（ｃ）に示すように、台形状であってもよいし、図６（ｄ）に示すように、略半円形状であってもよい。
【００２９】
図６（ｄ）に示した導光体３０は、断面形状が、円弧部分を反射体３５で覆われた拡散面３４とし、直線部分（導光体３０の底面）を出射面３２とした略半円形状に形成されているが、導光体３０は、断面形状が、逆向きの略半円形状に形成されていてもよい。つまり、図７（ａ）に示すように、導光体３０は、断面形状が、円弧部分を出射面３２とし、直線部分（導光体３０の上面）を反射体３５で覆われた拡散面３４とした略半円形状に形成されていてもよい。即ち、導光体３０の出射面３２をドーム形状に形成してもよい。これにより、出射する光に広がりのある照明を得ることができる。
【００３０】
本実施の形態において、ＬＥＤモジュール２０の基板上に複数のＬＥＤ２１が実装される場合、全てのＬＥＤ２１に同じ色温度の光を発するものを用いてもよいし、互いに異なる色温度の光を発する少なくとも２種類のＬＥＤ２１を組み合わせて用いてもよい。例えば、図７（ｂ）に示すように、２種類のＬＥＤ２１として、色温度が３０００Ｋ（ケルビン）のＬＥＤ２１と色温度が６０００ＫのＬＥＤ２１ａとを組み合わせることができる。このとき、ＬＥＤ２１とＬＥＤ２１ａとがＬＥＤ電源１４の調光部４２によってそれぞれ独立して調光されるように構成することが望ましい。これにより、３０００〜６０００Ｋの間で色温度可変の照明を得ることができる。また、この場合、ＬＥＤ２１とＬＥＤ２１ａとを、それぞれ１個又は複数個ずつ交互に配置する（即ち、周期的に入れ替えて配列する）ことにより、光の混色性を高めることができる。
【００３１】
また、本実施の形態において、図１（ｂ）又は（ｃ）に示すように、複数の照明用光源１１を連結したり、近接するように位置を固定したりする場合、全ての照明用光源１１に同じ色温度の光を発するものを用いてもよいし、互いに異なる色温度の光を発する少なくとも２種類の照明用光源１１を組み合わせて用いてもよい。例えば、図１（ｄ）に示すように、２種類の照明用光源１１として、色温度が３０００ＫのＬＥＤモジュール２０を備えた照明用光源１１と色温度が６０００ＫのＬＥＤモジュール２０ａを備えた照明用光源１１ａとを組み合わせることができる。この場合、照明用光源１１と照明用光源１１ａとを、それぞれ１個又は複数個ずつ交互に配置したり、同じものを対角線上に配置したりすることにより、意匠性に優れた照明装置１０を提供することができる。
【００３２】
上記のように、本実施の形態によれば、１つ又は複数の照明用光源１１によって環状や曲線状の発光面（出射面３２）を形成し、グレア（眩しさ）のない照明器具を提供することができる。これにより、ＬＥＤ２１の長寿命、高効率といった特徴を活かした円形照明装置が得られるだけでなく、円形照明装置で使われる丸形蛍光管を本実施の形態に係る照明用光源１１により置き換え（リプレース）可能となる。また、本実施の形態によれば、ＬＥＤ２１を配列する基板を環状に形成したり、ＬＥＤ２１を環状に配置したりする必要がないため、製造しやすい照明器具を提供することができる。
【００３３】
実施の形態２．
本実施の形態について、主に実施の形態１との差異を説明する。
【００３４】
図８（ａ）は、本実施の形態に係る照明用光源１１の底面図及びそのＡ−Ａ断面図である。
【００３５】
図８（ａ）に示す照明用光源１１は、図１（ｃ）に示した例と同様に、全体が略四半円形状に形成されているものとする。この照明用光源１１の導光体３０の拡散面３４には、拡散パターン３３（例えば、凹凸加工）が、導光体３０の湾曲方向の外側から内側に向かって密になるように形成されている。即ち、拡散パターン３３が任意の曲率で曲がった導光体３０の内周側で密となり、外周側が粗となっている。これにより、出射面３２全体において導光体３０の湾曲方向の相対位置によって生じる輝度の差を小さくすることができる。なお、導光体３０が湾曲していれば、同様の構成にすることで、同様の効果を得ることができるため、照明用光源１１は、例えば図１（ａ）又は（ｂ）に示したような形状であってもよいし、他の形状であってもよい。また、ＬＥＤモジュール２０の基板上で、複数のＬＥＤ２１が導光体３０の湾曲方向の外側から内側に向かって配列されている場合には、導光体３０の全体で拡散パターン３３が均一に（あるいは、上記以外の分布で）形成されていても、導光体３０の湾曲方向の外側から内側に向かって光束が少なくなるようにそれぞれのＬＥＤ２１を調光することで同様の効果を得ることができる。
【００３６】
実施の形態１と同様に、図８（ａ）に示した照明用光源１１の導光体３０は、底面だけでなく側面も出射面３２となっているが、図８（ｂ）に示すように、導光体３０の底面だけを出射面３２とし、導光体３０の側面を、拡散面３４と同様に反射体３５で覆ってもよい。また、さらに、導光体３０の入射面３１と逆側の端面を反射体３５で覆ってもよい。なお、導光体３０の上面だけでなく側面も、拡散パターン３３が形成された拡散面３４とすることができる。また、導光体３０の断面形状は四角形状に限らず、例えば、図８（ｃ）に示すように、台形状であってもよいし、図８（ｄ）に示すように、略半円形状であってもよい。
【００３７】
実施の形態３．
本実施の形態について、主に実施の形態１との差異を説明する。
【００３８】
図９（ａ）は、本実施の形態に係る照明用光源１１の底面図、そのＡ−Ａ断面図及びＢ−Ｂ断面図である。
【００３９】
図９（ａ）に示す照明用光源１１は、図１（ｂ）に示した例と同様に、全体が略半円形状に形成されているものとする。この照明用光源１１の導光体３０の拡散面３４には、拡散パターン３３（例えば、凹凸加工）が、実施の形態１と同様に、ＬＥＤモジュール２０に近い側から遠い側に向かって密になるように、また、実施の形態２と同様に、導光体３０の湾曲方向の外側から内側に向かって密になるように形成されている。即ち、拡散パターン３３がＬＥＤ２１から離れるにしたがって密となり、ＬＥＤ２１に近づくにしたがって粗となっており、かつ、拡散パターン３３が任意の曲率で曲がった導光体３０の内周側で密となり、外周側が粗となっている。これにより、出射面３２全体において輝度を略均一にすることができる。図示していないが、導光体３０を、ＬＥＤモジュール２０に近い側から遠い側に向かって厚みが小さくなるように（即ち、テーパ状に）形成することで、この効果をさらに高めることができる。なお、導光体３０が長手方向に湾曲していれば、同様の構成にすることで、同様の効果を得ることができるため、照明用光源１１は、例えば図１（ａ）又は（ｃ）に示したような形状であってもよいし、他の形状であってもよい。
【００４０】
実施の形態１と同様に、図９（ａ）に示した照明用光源１１の導光体３０は、底面だけでなく側面も出射面３２となっているが、図９（ｂ）に示すように、導光体３０の底面だけを出射面３２とし、導光体３０の側面を、拡散面３４と同様に反射体３５で覆ってもよい。また、さらに、導光体３０の入射面３１と逆側の端面を反射体３５で覆ってもよい。なお、導光体３０の上面だけでなく側面も、拡散パターン３３が形成された拡散面３４とすることができる。また、図示していないが、導光体３０の断面形状は四角形状に限らず、例えば台形状や略半円形状であってもよい。
【００４１】
実施の形態４．
本実施の形態について、主に実施の形態３との差異を説明する。
【００４２】
図１０（ａ）は、本実施の形態に係る照明用光源１１の底面図、そのＡ−Ａ断面図及びＢ−Ｂ断面図である。
【００４３】
図１０（ａ）に示す照明用光源１１は、図１（ａ）に示した例と同様に、全体が略円形状に形成されているものとする。この照明用光源１１の導光体３０は、入射面３１として、導光体３０の長手方向の両端面の一方である第１入射面３１ａと当該両端面の他方である第２入射面３１ｂとを有する。そのため、照明用光源１１のＬＥＤモジュール２０の基板上には、導光体３０の第１入射面３１ａに対向するＬＥＤ２１（第１ＬＥＤ）と導光体３０の第２入射面３１ｂに対向するＬＥＤ２１（第２ＬＥＤ）が実装される。前者のＬＥＤ２１（第１ＬＥＤ）と後者のＬＥＤ２１（第２ＬＥＤ）とは、それぞれ別々の基板上に実装されてもよいが、それぞれ１枚の基板の表面と裏面とに実装されることが望ましい。このようにＬＥＤ２１を両面に回路形成できる基板の両面に実装することで、ＬＥＤモジュール２０のサイズを小さくして、その分導光体３０のサイズを大きくすることができる。なお、ＬＥＤモジュール２０として、ＬＥＤ２１を片面実装した２枚の基板を用いる場合、それぞれの基板に実装されたＬＥＤ２１を導光体３０の第１入射面３１ａと第２入射面３１ｂとに対向させて配置すればよいため、照明用光源１１が、例えば図１（ｂ）又は（ｃ）に示したような形状、もしくは、他の形状であってもよい。
【００４４】
図１０（ａ）に示すように、照明用光源１１の導光体３０の拡散面３４には、拡散パターン３３（例えば、凹凸加工）が、実施の形態３と同様に、ＬＥＤモジュール２０に近い側から遠い側に向かって密になるように、また、導光体３０の湾曲方向の外側から内側に向かって密になるように形成されている。図示していないが、導光体３０を、ＬＥＤモジュール２０に近い側から遠い側に向かって厚みが小さくなるように（即ち、テーパ状に）形成することで、この効果をさらに高めることができる。
【００４５】
実施の形態４と同様に、図１０（ａ）に示した照明用光源１１の導光体３０は、底面だけでなく側面も出射面３２となっているが、図１０（ｂ）に示すように、導光体３０の底面だけを出射面３２とし、導光体３０の側面を、拡散面３４と同様に反射体３５で覆ってもよい。なお、導光体３０の上面だけでなく側面も、拡散パターン３３が形成された拡散面３４とすることができる。また、図示していないが、導光体３０の断面形状は四角形状に限らず、例えば台形状や略半円形状であってもよい。
【００４６】
実施の形態５．
本実施の形態について、主に実施の形態１との差異を説明する。
【００４７】
図１１（ａ）は、本実施の形態に係る照明装置１０の斜視図である。図１２（ａ）は、照明用光源１１の斜視図である。
【００４８】
実施の形態１では、照明用光源１１の導光体３０が板状に形成されているが、本実施の形態では、導光体３０が円柱状に形成されている。図示していないが、ＬＥＤモジュール２０と導光体３０とは、例えばカバーによって連結されており、このカバーにはＬＥＤモジュール２０からの光の漏れを防止する効果もある。図１２（ａ）では、導光体３０の一部しか示していないが、図１１（ａ）に示したように、導光体３０は、全体が略円弧状に湾曲しており、ＬＥＤモジュール２０を含めた照明用光源１１全体が平面視で略円形状になるように形成されている。即ち、導光体３０が略円形となっている。なお、図１１（ｂ）に示すように、導光体３０は、照明用光源１１全体が平面視で略半円形状になるように形成されてもよい。即ち、導光体３０が略半円形となってもよい。この場合、２つの照明用光源１１の端部同士を連結することで（近接するように位置を固定するだけでもよい）、全体として略円形状のランプとすることができる。また、図１１（ｃ）に示すように、導光体３０は、照明用光源１１全体が平面視で略四半円形状になるように形成されてもよい。即ち、導光体３０が略１／４円形となってもよい。この場合、４つの照明用光源１１の端部を順番に連結することで（近接するように位置を固定するだけでもよい）、全体として略円形状のランプとすることができる。また、導光体３０の形状は、全体が略円弧状に湾曲したものに限らず、例えば平面視で略Ｓ字状や略Ｕ字状であってもよい。例えば、円形の切断面を有する円柱状の透明材料を任意の曲率をもって曲げ加工することで、本実施の形態における、長手方向に湾曲した円柱状の導光体３０を得ることができる。
【００４９】
導光体３０は、実施の形態１と同様に、導光体３０の長手方向の端面であり、ＬＥＤ２１の発光面２２から発せられた光を入射する入射面３１と、導光体３０の長手方向に延在する面（例えば、外周面）であり、入射面３１から入射した光を出射する出射面３２とを有する。本実施の形態において、導光体３０は、導光体３０の長手方向の端面（２つあるうちの一方は入射面３１）を除く全ての面が出射面３２となっている。なお、図１２（ｂ）に示すように、導光体３０は、円筒状に形成されていてもよい。この場合、例えば、環形の切断面を有する円筒状の透明材料を任意の曲率をもって曲げ加工することで、長手方向に湾曲した円筒状の導光体３０を得ることができる。ＬＥＤ２１は、当該切断面（入射面３１に相当）の内側の空洞域に配置することができる。
【００５０】
導光体３０は、実施の形態１と同様に、透光性を有するプラスチック材料（透明樹脂）からなるものが望ましいが、ガラス材料からなるものでもよい。プラスチック材料を用いた場合、容易に曲げ加工することが可能となる。プラスチック材料としては、例えば、ポリカーボネート、ポリアリレート、ポリサルフォン、ポリエーテルイミド、ポリフェニレンスルフィド、アクリル、アクリロニトリル、塩化ビニール、ポリスチレン、ポリエチレンのいずれか、あるいは、これらのうち複数を組み合わせたものを用いることができる。また、導光体３０は、このようなプラスチック材料中に、当該プラスチック材料とは異なる屈折率の微粒子を分散させてなるものであってもよい。これにより、導光体３０の入射面３１から入射した光や反射体３５で反射された光を、拡散面３４を含む導光体３０の表面だけでなく、導光体３０の全体で拡散させることができる。微粒子としては、例えば、透明なガラス材料を用いることができる。
【００５１】
図１３（ａ）は、照明用光源１１の底面図、そのＡ−Ａ断面図及びＢ−Ｂ断面図である。
【００５２】
図１３（ａ）に示す照明用光源１１は、図１１（ｂ）に示した例と同様に、全体が略半円形状に形成されているものとする。この照明用光源１１の導光体３０の出射面３２には、実施の形態１と同様の拡散パターン３３（例えば、凹凸加工）が、ＬＥＤモジュール２０に近い側から遠い側に向かって密になるように形成されている。即ち、拡散パターン３３がＬＥＤ２１から離れるにしたがって密となり、ＬＥＤ２１に近づくにしたがって粗となっている。これにより、出射面３２全体においてＬＥＤモジュール２０からの距離によって生じる輝度の差を小さくすることができる。図示していないが、導光体３０を、ＬＥＤモジュール２０に近い側から遠い側に向かって細くなるように形成することで、この効果をさらに高めることができる。なお、導光体３０が円柱状や円筒状であれば、同様の構成にすることで、同様の効果を得ることができるため、照明用光源１１は、例えば図１１（ａ）又は（ｃ）に示したような形状であってもよいし、他の形状であってもよい。また、さらに、導光体３０の入射面３１と逆側の端面を、実施の形態１と同様の反射体３５で覆ってもよい。即ち、導光体３０のＬＥＤ２１が配置されていない端面に反射体３５を配置してもよい。これにより、器具効率を高めることができる。
【００５３】
本実施の形態において、ＬＥＤモジュール２０の基板上に複数のＬＥＤ２１が実装される場合、全てのＬＥＤ２１に同じ色温度の光を発するものを用いてもよいし、互いに異なる色温度の光を発する少なくとも２種類のＬＥＤ２１を組み合わせて用いてもよい。例えば、図１４（ａ）に示すように、２種類のＬＥＤ２１として、色温度が３０００ＫのＬＥＤ２１と色温度が６０００ＫのＬＥＤ２１ａとを組み合わせることができる。このとき、ＬＥＤ２１とＬＥＤ２１ａとがＬＥＤ電源１４の調光部４２によってそれぞれ独立して調光されるように構成することが望ましい。これにより、３０００〜６０００Ｋの間で色温度可変の照明を得ることができる。また、この場合、ＬＥＤ２１とＬＥＤ２１ａとを、一方が他方の周りを取り囲むように配置することにより、光の混色性を高めることができる。
【００５４】
また、本実施の形態において、導光体３０は、導光体３０の長手方向の端面を除く全ての面が出射面３２となっているが、例えば、図１４（ｂ）に示すように、導光体３０の外周面の下部（例えば、下側半分）のみを出射面３２とし、上部（例えば、上側半分）を、実施の形態１と同様の反射体３５で覆ってもよい。
【００５５】
また、本実施の形態において、図１１（ｂ）又は（ｃ）に示すように、複数の照明用光源１１を連結したり、近接するように位置を固定したりする場合、全ての照明用光源１１に同じ色温度の光を発するものを用いてもよいし、互いに異なる色温度の光を発する少なくとも２種類の照明用光源１１を組み合わせて用いてもよい。例えば、図１１（ｄ）に示すように、２種類の照明用光源１１として、色温度が３０００ＫのＬＥＤモジュール２０を備えた照明用光源１１と色温度が６０００ＫのＬＥＤモジュール２０ａを備えた照明用光源１１ａとを組み合わせることができる。この場合、照明用光源１１と照明用光源１１ａとを、それぞれ１個又は複数個ずつ交互に配置したり（即ち、周期的に入れ替えて配列する）、同じものを対角線上に配置したりすることにより、意匠性に優れた照明装置１０を提供することができる。
【００５６】
実施の形態６．
本実施の形態について、主に実施の形態５との差異を説明する。
【００５７】
図１３（ｂ）は、本実施の形態に係る照明用光源１１の底面図及びそのＡ−Ａ断面図である。
【００５８】
図１３（ｂ）に示す照明用光源１１は、図１１（ｃ）に示した例と同様に、全体が略四半円形状に形成されているものとする。この照明用光源１１の導光体３０の出射面３２には、実施の形態２と同様の拡散パターン３３（例えば、凹凸加工）が、導光体３０の湾曲方向の外側から内側に向かって密になるように形成されている。即ち、拡散パターン３３が任意の曲率で曲がった導光体３０の内周側で密となり、外周側が粗となっている。これにより、出射面３２全体において導光体３０の湾曲方向の相対位置によって生じる輝度の差を小さくすることができる。なお、導光体３０が湾曲していれば、同様の構成にすることで、同様の効果を得ることができるため、照明用光源１１は、例えば図１１（ａ）又は（ｂ）に示したような形状であってもよいし、他の形状であってもよい。また、ＬＥＤモジュール２０の基板上で、複数のＬＥＤ２１が導光体３０の湾曲方向の外側から内側に向かって配列されている場合には、導光体３０の全体で拡散パターン３３が均一に（あるいは、上記以外の分布で）形成されていても、導光体３０の湾曲方向の外側から内側に向かって光束が少なくなるようにそれぞれのＬＥＤ２１を調光することで同様の効果を得ることができる。また、実施の形態５と同様に、さらに、導光体３０の入射面３１と逆側の端面を反射体３５で覆ってもよい。
【００５９】
実施の形態７．
本実施の形態について、主に実施の形態５との差異を説明する。
【００６０】
図１５（ａ）は、本実施の形態に係る照明用光源１１の底面図、そのＡ−Ａ断面図及びＢ−Ｂ断面図である。
【００６１】
図１５（ａ）に示す照明用光源１１は、図１１（ｂ）に示した例と同様に、全体が略半円形状に形成されているものとする。この照明用光源１１の導光体３０の出射面３２には、実施の形態３と同様の拡散パターン３３（例えば、凹凸加工）が、ＬＥＤモジュール２０に近い側から遠い側に向かって密になるように、また、導光体３０の湾曲方向の外側から内側に向かって密になるように形成されている。即ち、拡散パターン３３がＬＥＤ２１から離れるにしたがって密となり、ＬＥＤ２１に近づくにしたがって粗となっており、かつ、拡散パターン３３が任意の曲率で曲がった導光体３０の内周側で密となり、外周側が粗となっている。これにより、出射面３２全体において輝度を略均一にすることができる。図示していないが、導光体３０を、ＬＥＤモジュール２０に近い側から遠い側に向かって細くなるように形成することで、この効果をさらに高めることができる。なお、導光体３０が円柱状や円筒状で湾曲していれば、同様の構成にすることで、同様の効果を得ることができるため、照明用光源１１は、例えば図１１（ａ）又は（ｃ）に示したような形状であってもよいし、他の形状であってもよい。また、実施の形態５と同様に、さらに、導光体３０の入射面３１と逆側の端面を反射体３５で覆ってもよい。
【００６２】
実施の形態８．
本実施の形態について、主に実施の形態１との差異を説明する。
【００６３】
図１５（ｂ）は、本実施の形態に係る照明用光源１１の底面図、そのＡ−Ａ断面図及びＢ−Ｂ断面図である。
【００６４】
図１５（ｂ）に示す照明用光源１１は、図１１（ａ）に示した例と同様に、全体が略円形状に形成されているものとする。この照明用光源１１の導光体３０は、入射面３１として、導光体３０の長手方向の両端面の一方である第１入射面３１ａと当該両端面の他方である第２入射面３１ｂとを有する。そのため、照明用光源１１のＬＥＤモジュール２０の基板上には、導光体３０の第１入射面３１ａに対向するＬＥＤ２１（第１ＬＥＤ）と導光体３０の第２入射面３１ｂに対向するＬＥＤ２１（第２ＬＥＤ）が実装される。前者のＬＥＤ２１（第１ＬＥＤ）と後者のＬＥＤ２１（第２ＬＥＤ）とは、それぞれ別々の基板上に実装されてもよいが、それぞれ１枚の基板の表面と裏面とに実装されることが望ましい。このようにＬＥＤ２１を両面実装することで、ＬＥＤモジュール２０のサイズを小さくして、その分導光体３０のサイズを大きくすることができる。
【００６５】
図１５（ｂ）に示すように、照明用光源１１の導光体３０の出射面３２には、実施の形態４と同様の拡散パターン３３（例えば、凹凸加工）が、ＬＥＤモジュール２０に近い側から遠い側に向かって密になるように、また、導光体３０の湾曲方向の外側から内側に向かって密になるように形成されている。図示していないが、導光体３０を、ＬＥＤモジュール２０に近い側から遠い側に向かって細くなるように形成することで、この効果をさらに高めることができる。
【００６６】
以上、本発明の実施の形態について説明したが、これらのうち、２つ以上の実施の形態を組み合わせて実施しても構わない。あるいは、これらのうち、１つの実施の形態を部分的に実施しても構わない。あるいは、これらのうち、２つ以上の実施の形態を部分的に組み合わせて実施しても構わない。
【符号の説明】
【００６７】
１０  照明装置、１１，１１ａ  照明用光源、１２  本体、１３  ホルダー、１４  ＬＥＤ電源、１５  配線、１６  引き紐、１７  反射カバー、１８  固定具、２０，２０ａ  ＬＥＤモジュール、２１，２１ａ  ＬＥＤ、２２  発光面、３０  導光体、３１  入射面、３１ａ  第１入射面、３１ｂ  第２入射面、３２  出射面、３３  拡散パターン、３４  拡散面、３５  反射体、４０  商用電源、４１  交流−直流変換回路、４２  調光部、４３  制御部。
【図１】
0005528530.tif 000002
【図２】
0005528530.tif 000003
【図３】
0005528530.tif 000004
【図４】
0005528530.tif 000005
【図５】
0005528530.tif 000006
【図６】
0005528530.tif 000007
【図７】
0005528530.tif 000008
【図８】
0005528530.tif 000009
【図９】
0005528530.tif 000010
【図１０】
0005528530.tif 000011
【図１１】
0005528530.tif 000012
【図１２】
0005528530.tif 000013
【図１３】
0005528530.tif 000014
【図１４】
0005528530.tif 000015
【図１５】
0005528530.tif 000016